(57)【要約】【課題】フローセルに汚れがあるか否かの判断を容易に行なうことができるようにする。【解決手段】検出装置は、光源と、前記光源から発せられた光に基づいて測定光と参照光を生成する光学系と、試料溶液を流通させるためのフローセルを有し、前記フローセルが前記測定光の光路上に配置されるように設けられたフローセルデバイスと、前記フローセルを通過した測定光と前記フローセルを通過していない（その光路上にフローセルが設けられていない）前記参照光のそれぞれの光量を検出するための光量検出部と、前記フローセルが試料溶液の流れていないブランク状態となっているときの前記光量検出部の出力信号に基づいて得られる前記測定光の光量と前記参照光の光量の比率をしきい値と比較することにより、前記フローセルの汚れの有無を判定するように構成された汚れ判定部と、を備えている。【選択図】  図１
2019015513.tif 000002
【特許請求の範囲】
【請求項１】
光源と、
前記光源から発せられた光に基づいて測定光と参照光を生成する光学系と、
試料溶液を流通させるためのフローセルを有し、前記フローセルが前記測定光の光路上に配置されるように設けられたフローセルデバイスと、
前記フローセルを通過した測定光と前記フローセルを通過していない前記参照光のそれぞれの光量を検出するための光量検出部と、
前記フローセルが試料溶液の流れていないブランク状態となっているときの前記光量検出部の出力信号に基づいて得られる前記測定光の光量と前記参照光の光量の比率をしきい値と比較することにより、前記フローセルの汚れの有無を判定するように構成された汚れ判定部と、を備えた検出装置。
【請求項２】
前記しきい値を保持するしきい値保持部をさらに備え、
前記汚れ判定部は、前記しきい値保持部に保持された前記しきい値を用いて前記フローセルの汚れの有無を判定するように構成されている、請求項１に記載の検出装置。
【請求項３】
前記フローセルを前記ブランク状態にしたときの前記測定光の光量と前記参照光の光量の比率に基づき、前記しきい値を設定するように構成されたしきい値設定部をさらに備え、
前記しきい値保持部は、前記しきい値設定部により設定されたしきい値を保持するように構成されている、請求項２に記載の検出装置。
【請求項４】
前記フローセルデバイスは固有のセル識別情報をもち、
前記しきい値保持部は、前記フローセルデバイスの固有の前記しきい値を、前記セル識別情報と関連付けて保持するように構成され、
前記汚れ判定部は、前記しきい値保持部に保持されている、現在使用されている前記フローセルデバイスの前記セル識別情報と関連付けられた前記しきい値に基づいて、当該フローセルデバイスのフローセルの汚れの有無を判定するように構成されている、請求項２又は３に記載の検出装置。
【請求項５】
前記しきい値保持部は前記フローセルデバイスに搭載され、そのフローセルデバイスの固有の前記しきい値を保持している、請求項２から４のいずれか一項に記載の検出装置。
【請求項６】
前記検出装置は固有の検出装置識別情報をもち、
前記しきい値保持部は、そのフローセルデバイスが当該検出装置で用いられたときの固有の前記しきい値を、前記検出装置識別情報と関連付けて保持するように構成され、
前記汚れ判定部は、前記しきい値保持部に保持されている、当該検出装置の前記検出装置識別情報と関連付けられた前記しきい値に基づいて、前記フローセルの汚れの有無を判定するように構成されている、請求項５に記載の検出装置。
【請求項７】
前記フローセルが汚れのない初期状態でかつ前記ブランク状態で測定された前記測定光の光量と前記参照光の光量をそれぞれの初期値として保持する初期値保持部をさらに備えている、請求項１から６のいずれか一項に記載の検出装置。
【請求項８】
前記汚れ判定部は、前記フローセルに汚れがあると判定したときに、ユーザに対してその旨を通知するように構成されている請求項１から７のいずれか一項に記載の検出装置。
【発明の詳細な説明】
【技術分野】
【０００１】
本発明は、試料溶液を流通させるフローセルを備え、フローセルを通過する光量の変化に基づいて試料溶液中の試料を検出するように構成された検出装置に関するものである。
【背景技術】
【０００２】
液体クロマトグラフ用の検出装置として吸光度検出器などが知られている。吸光度検出器は、試料溶液の流れるフローセルに対して光源から光を照射し、フローセルを通過した光の強度を光センサによって検出して特定波長における吸光度を求めることで、フローセルを流れる試料溶液中の成分の定量や定性を行なうものである（例えば、特許文献１参照。）。
【先行技術文献】
【特許文献】
【０００３】
【特許文献１】特開２００４−０６１１９９号公報
【発明の概要】
【発明が解決しようとする課題】
【０００４】
上記のような検出装置を使用していると、何らかの要因により吸光度などの測定データに含まれるノイズの割合が大きくなることがある。測定データのノイズの大きさは、光源や光学系の劣化、移動相溶媒の脱気不足、フローセルや配管の汚れ等、種々の要因によって変動するため、ノイズが大きくなった原因を特定することは容易ではない。
【０００５】
そのため、測定データ中のノイズが大きくなった場合には、とりあえずフローセルの洗浄を行ない、ノイズの大きさに変化があるか否かを確認するということが一般に行なわれている。セルを洗浄する際は、セルに洗浄液を長時間流すなどの作業を行なわなければならず、時間を要する。
【０００６】
そのような洗浄作業をノイズの原因がフローセルの汚れにあるのかどうかが不明な段階で行なうことは無駄であり、ユーザにとって利便性を欠く。
【０００７】
そこで、本発明は、フローセルに汚れがあるか否かの判断を容易に行なうことができるようにすることを目的とするものである。
【課題を解決するための手段】
【０００８】
本発明に係る検出装置は、光源と、前記光源から発せられた光に基づいて測定光と参照光を生成する光学系と、試料溶液を流通させるためのフローセルを有し、前記フローセルが前記測定光の光路上に配置されるように設けられたフローセルデバイスと、前記フローセルを通過した測定光と前記フローセルを通過していない（その光路上にフローセルが設けられていない）前記参照光のそれぞれの光量を検出するための光量検出部と、前記フローセルが試料溶液の流れていないブランク状態となっているときの前記光量検出部の出力信号に基づいて得られる前記測定光の光量と前記参照光の光量の比率をしきい値と比較することにより、前記フローセルの汚れの有無を判定するように構成された汚れ判定部と、を備えている。
【０００９】
ここで、「フローセルに試料溶液を流さないブランク状態」とは、フローセルに何ら液を流さない状態だけでなく、フローセルに試料成分を含まないブランク液を流している状態をも含む。
【００１０】
フローセルの汚れの有無の判定に用いる「しきい値」は、フローセルが汚れのない「初期状態」でかつ「ブランク状態」で測定された測定光と参照光の光量の比率に基づいて求められるものである。フローセルが「初期状態」でかつ「ブランク状態」で測定光の光量と参照光の光量を測定したときの値を、測定光、参照光のそれぞれの「初期値」と定義する。
【００１１】
フローセルをブランク状態にしたときの測定光と参照光の光量の比率は、フローセルの汚れによる影響を最も大きく受け、光源の発光強度等による影響をほとんど受けない。フローセルが「初期状態」でかつ「ブランク状態」であるときの測定光と参照光の光量の比率は、そのフローセルに汚れがないときの固有の値であり、フローセルに汚れがないことを示す基準値となるものである。フローセルをブランク状態にして測定した測定光と参照光の光量の比率がこの基準値と異なっていれば、フローセルに汚れが発生していることが考えられる。したがって、測定光と参照光の初期値によって求められる基準値に測定誤差等の許容範囲を加味した値を、汚れの有無の判定のためのしきい値として用いることができる。
【００１２】
上記の知見に基づいてなされた本発明に係る検出装置は、フローセルをブランク状態にして測定光と参照光の光量を測定し、それらの光量の比率を求め、その比率を所定のしきい値と比較することにより、フローセルに汚れがあるか否かを判定する機能を備えている。
【００１３】
上記しきい値は予め設定されたものであってもよい。その場合、検出装置には、予め設定されたしきい値を保持するしきい値保持部が設けられる。
【００１４】
なお、フローセルが初期状態でかつブランク状態で測定された測定光と参照光の光量の初期値を保持する保持部を備えている場合には、フローセルの汚れの有無の判定の際に、その都度、それらの初期値の比率からしきい値を設定してもよい。
【００１５】
また、本発明に係る検出装置では、前記フローセルを前記ブランク状態にしたときの前記測定光の光量と前記参照光の光量の比率に基づき、前記しきい値を設定するように構成されたしきい値設定部をさらに備えていることが好ましい。そうすれば、ユーザは、検出装置にフローセルデバイスを組み付けたときに、しきい値設定部の機能を使ってそのフローセルデバイスの固有のしきい値を設定することができる。この場合、しきい値設定部により設定されたしきい値は、しきい値保持部に保持される。
【００１６】
ところで、フローセルデバイスは、用途（例えば試料の種類）に応じて、又は検出装置を使用するユーザごとに異なるフローセルデバイスが使用されることがある。各フローセルデバイスに搭載されているフローセルのセル長や壁面の厚みのほか、入射窓、出射窓として用いられている透明板の厚み等には製造誤差による個体差が存在するため、フローセルが初期状態でかつブランク状態のときの光の透過率にも個体差がある。そのため、同じ検出装置で測定光と参照光の光量の初期値を測定してもその比率が同じ値になるとは限らない。したがって、フローセルに汚れが発生しているか否かを判定するためのしきい値は、フローセルデバイスごとに異なる固有の値である。
【００１７】
そこで、本発明に係る検出装置の好ましい実施形態では、前記フローセルデバイスは固有のセル識別情報をもち、前記しきい値保持部は、前記フローセルデバイスの固有の前記しきい値を、前記セル識別情報と関連付けて保持するように構成されている。その場合、汚れ判定部は、前記しきい値保持部に保持されている、現在使用されている前記フローセルデバイスの前記セル識別情報と関連付けられた前記しきい値に基づいて、当該フローセルデバイスのフローセルの汚れの有無を判定するように構成されている。これにより、フローセルデバイスが別のものに交換された場合にも、そのフローセルデバイスのセル識別情報と関連付けられたそのフローセルデバイス固有のしきい値を用いて、フローセルの汚れの有無の判定を行なうことができる。
【００１８】
また、しきい値保持部自体がフローセルデバイスに搭載され、そのフローセルデバイスの固有のしきい値を保持していてもよい。これは、フローセルデバイス自体が自身の固有のしきい値を保持していることを意味する。そうすれば、フローセルデバイスが別のものに交換されたときに、そのフローセルデバイス自身が保持している固有のしきい値を用いてフローセルの汚れの有無の判定を行なうことができる。
【００１９】
また、フローセルデバイスが複数の検出装置にわたって使用される場合がある。しかし、測定光と参照光の光量の比率は検出装置によっても個体差があるため、どの検出装置で測定光と参照光の初期値を測定したかによって、フローセルの汚れの有無を判定するためのしきい値が変わり得る。そのため、ある検出装置で設定されたしきい値を用いると、フローセルの汚れの有無の判定を正しく行なうことができないということもあり得る。したがって、フローセルの汚れの有無の判定の際には、フローセルデバイスごとに用意されたものであるだけでなく、そのフローセルデバイスが設置された検出装置ごとに用意されたものであることが好ましい。
【００２０】
そこで、本発明に係る検出装置のさらに好ましい実施形態では、検出装置が固有の検出装置識別情報をもち、前記しきい値保持部は、そのフローセルデバイスが当該検出装置で用いられたときの固有の前記しきい値を、前記検出装置識別情報と関連付けて保持するように構成され、前記汚れ判定部は、前記しきい値保持部に保持されている、当該検出装置の前記検出装置識別情報と関連付けられた前記しきい値に基づいて、前記フローセルの汚れの有無を判定するように構成されている。そうすれば、フローセルデバイスと検出装置の組合せによって変動し得る固有のしきい値を用いて、フローセルの汚れの有無の判定を行なうことができ、より高精度にフローセルの汚れの有無を判定することができる。
【００２１】
また、フローセルが初期状態でかつブランク状態で測定したときの測定光と参照光の光量の初期値を保持する初期値保持部をさらに備えていてもよい。測定光と参照光の光量の初期値に関する情報を保持していれば、測定データのノイズの要因をさらに限定することも可能になる。例えば、フローセルの汚れは参照光の光量変化に寄与しないため、参照光の光量が初期値よりも低下している場合には、光源の発光強度の低下、レンズの劣化による光透過率の低下、ミラーの曇りや劣化による反射率の低下等が考えられる。このように、測定光と参照光の光量の初期値を保持しておけば、測定光と参照光の光量の比率としきい値との比較によってフローセルの汚れの有無を判定するだけでなく、測定光や参照光の光量自体を用いて別のノイズ要因の予測をすることが可能になる。
【００２２】
本発明に係る検出装置のさらに好ましい実施形態では、汚れ判定部が、前記フローセルに汚れがあると判定したときに、ユーザに対してその旨を通知するように構成されている。ユーザに対する通知方法はいかなるものであってもよい。例えば、検出装置に設けられ又は検出装置に接続された液晶ディスプレイなどの表示部にその旨を表示する方法や、エラーを意味するランプを点灯させる方法、警告音を発する方法などが挙げられる。
【発明の効果】
【００２３】
本発明の検出装置では、フローセルをブランク状態にして測定光と参照光の光量を測定し、それらの光量の比率を求め、その比率を所定のしきい値と比較することにより、フローセルに汚れがあるか否かを判定する機能を備えているので、フローセルに汚れがあるか否かの判断を容易に行なうことができる。
【図面の簡単な説明】
【００２４】
【図１】検出装置の一実施例を示す概略構成図である。
【図２】複数のフローセルデバイスを使用する場合の装置構成の概念を示す図である。
【図３】しきい値保持部をフローセルデバイスに搭載した場合の装置構成の概念を示す図である。
【図４】フローセルデバイスを複数の検出装置にわたって使用する場合の装置構成の概念を示す図である。
【図５】フローセルの汚れの有無を判定するためのしきい値の設定手順を示すフローチャートである。
【図６】フローセルの汚れの有無の判定手順を示すフローチャートである。
【発明を実施するための形態】
【００２５】
以下、本発明に係る検出装置の実施形態について、図面を用いて説明する。
【００２６】
図１に検出装置の一実施例を示す。
【００２７】
この実施例の検出装置１は、測定部２と演算処理部４を備えている。測定部２は、光源６、スリット８、ミラー１０、分光器１２、ビームスプリッタ１４、フローセルデバイス１６、光検出素子２０及び２２を備えている。演算処理部４は、汚れ判定部２６、しきい値設定部２８、しきい値保持部３０及び初期値保持部３２を備えている。演算処理部４には表示部３４が接続されている。
【００２８】
測定部２では、光源６により発せられた光がスリット８を通ってミラー１０で反射し、回折格子などで実現される分光器１２に導かれる。分光器１２は、ミラー１０からの光を波長成分ごとに分光し、測定波長の光のみをビームスプリッタ１４側へ導くように調整されている。分光器１２によってビームスプリッタ１４へ導かれた測定波長の光のうち一部の光はビームスプリッタ１４で反射して光検出素子２２に参照光として入射し、残りの光はビームスプリッタ１４を透過して測定光となる。
【００２９】
ビームスプリッタ１４は、光源６からの光に基づいて測定光と参照光を生成する光学系を実現するものである。なお、光源６からの光に基づいて測定光と参照光を生成する光学系は、ビームスプリッタ１４に限定されるものでなく、光源６からの光の反射角度を時間的に変化させることによって測定光と参照光を生成するように構成されたものであってもよいし、測定光生成用の孔と参照光生成用の孔をもつ遮光板等であってもよい。
【００３０】
フローセルデバイス１６は、試料溶液を流通させるためのフローセル１８を内部に備えており、そのフローセル１８がビームスプリッタ１４を透過した測定光の光路上に配置されるように設けられている。フローセル１８を通過した測定光は光検出素子２０に入射する。光検出素子２０及び２２は、測定光及び参照光の光量を検出する光量検出部をなしている。光検出素子２０及び２２で得られた検出信号は演算処理部４に取り込まれる。
【００３１】
また、フローセルデバイス１６は、フラッシュメモリ等によって実現される記憶媒体２４を備えている。記憶媒体２４には、フローセルデバイス１６を他のフローセルデバイスから識別するための固有のセル識別情報等が記憶されている。記憶媒体２４に記憶されている情報も演算処理部４に取り込まれる。
【００３２】
演算処理部４は、専用のコンピュータ又は汎用のパーソナルコンピュータによって実現されるものである。演算処理部４の汚れ判定部２６及びしきい値設定部２８は、演算処理部４に格納されたプログラムをＣＰＵなどの演算素子が実行することによって得られる機能である。しきい値保持部３０及び初期値保持部３２は、演算処理部４に設けられた記憶媒体の一部の領域によって実現される機能である。
【００３３】
汚れ判定部２６は、フローセル１８が試料溶液の流れていないブランク状態のときに光検出素子２０及び２２によって検出される測定光及び参照光の光量の比率（例えば、参照光／測定光）を所定のしきい値と比較することにより、フローセルデバイス１６のフローセル１８に汚れが発生しているか否かを判定するように構成されている。フローセル１８の汚れの有無の判定は、例えば、検出装置１を起動させたときに実行されるバリデーション時の光源６の発光光量のチェックの際に実行することができる。汚れ判定部２６は、フローセル１８に汚れが発生していると判定したときに、表示部３４にその旨を表示したり、所定のランプを点灯させたり、警告音を発したりして、ユーザに対してフローセル１８の洗浄を促すように構成されている。
【００３４】
しきい値保持部３０には、フローセル１８の汚れの有無の判定のために予め設定されたしきい値が保持されている。しきい値保持部３０に保持されるしきい値は、しきい値設定部２８により設定されたものであってもよい。しきい値設定部２８は、検出装置１にフローセルデバイス１６が初めて設置されたときなどに、自動的に又はユーザからの指令に基づいて、そのフローセルデバイス１６のフローセル１８の汚れの有無を判定するためのしきい値を設定するように構成されている。
【００３５】
しきい値は、汚れの発生していない初期状態のフローセル１８をブランク状態にして測定光と参照光の光量をそれぞれの初期値として測定し、それらの初期値の比率を算出して、その比率に許容範囲を加味した値として設定することができる。しきい値設定部２８により設定されたしきい値がしきい値保持部３０に保持される。しきい値の設定に用いられた測定光と参照光の初期値は初期値保持部３２に保持される。
【００３６】
初期値保持部３２に保持された測定光と参照光の初期値は、フローセル１８の汚れ以外の測定データのノイズの要因（例えば、光源６の発光強度の低下、ミラー１０の劣化や曇り等）の特定に用いることができる。
【００３７】
なお、しきい値保持部３０と初期値保持部３２の両方を必ずしも備えている必要はない。初期値保持部３２は備えていなくてもよい。また、初期値保持部３２が設けられている場合には、初期値保持部３２に保持されている測定光と参照光の初期値を用いて、その都度、しきい値を求めることができるので、しきい値保持部３０が設けられていなくてもよい。
【００３８】
図２に示されているように、複数のフローセルデバイス１６が用意され、用途（試料の種類など）に応じて又はユーザごとに異なるフローセルデバイス１６に交換して測定を行なう場合がある。そのような場合は、フローセル１８の汚れの有無を判定するためのしきい値として、フローセルデバイス１６ごとに測定光と参照光の初期値を測定し、その比率に基づいて設定された固有の値を用いることが好ましい。
【００３９】
フローセルデバイス１６ごとの固有のしきい値を用いてフローセル１８の汚れの判定を行なう場合には、演算処理部４のしきい値保持部３０が、各フローセルデバイス１６に設定されたしきい値を各フローセルデバイス１６の固有のセル識別情報と関連付けて保持するように構成されていることが好ましい。その場合、汚れ判定部２６は当該検出装置１に設置されたフローセルデバイス１６のセル識別情報を読み取り、そのセル識別情報に関連付けられたしきい値をしきい値保持部３０から読み出し、フローセル１８の汚れの判定の有無にそのしきい値を用いるように構成される。
【００４０】
また、図３に示されているように、しきい値保持部３０をフローセルデバイス１６自体にもたせてもよい。その場合、各フローセルデバイス１６に設けられている記憶媒体２４の一部の領域によってしきい値保持部３０を実現することができる。この場合は、しきい値設定部２８によって設定されたしきい値がフローセルデバイス１６のしきい値保持部３０に保持される。そして、汚れ判定部２６がフローセル１８の汚れの有無を判定する際にフローセルデバイス１８のしきい値保持部３０からそのフローセルデバイス１８の固有のしきい値を読み出し、そのしきい値を用いて判定を行なう。
【００４１】
なお、図では示されていないが、しきい値保持部３０に代えて又はしきい値保持部３０に加えて、初期値保持部３２を各フローセルデバイス１６にもたせてもよい。しきい値保持部３０に代えて初期値保持部３２を各フローセルデバイス１６にもたせる場合は、汚れ判定部２６がフローセル１８の汚れの有無の判定を行なう際に、初期値保持部３２に保持された測定光と参照光の初期値に基づいて、その都度しきい値を求め、そのしきい値を用いて汚れの有無の判定を行なう。
【００４２】
また、図４に示されているように、特定のフローセルデバイス１６を複数の検出装置１にわたって使用される場合もある。そのような場合、フローセル１８の汚れの有無を判定するためのしきい値は、どの検出装置１で測定光と参照光の初期値を測定したかによって変動する。そのため、フローセルデバイス１６のしきい値保持部３０は、各検出装置１によって設定されたしきい値を各検出装置１に割り当てられた検出装置識別情報と関連付けて保持するようになっていることが好ましい。この場合、各検出装置１の汚れ判定部２６は、フローセルデバイス１６のしきい値保持部３０に保持されているしきい値のうち、その検出装置１の検出装置識別情報と関連付けられたしきい値を用いて、フローセル１８の汚れの有無の判定を行なう。
【００４３】
なお、上記の場合も、しきい値保持部３０に代えて初期値保持部３２を各フローセルデバイス１６にもたせてもよい。
【００４４】
フローセル１８の汚れの有無を判定するためのしきい値は、フローセルデバイス１６の個体ごとに、さらにはそのしきい値が設定された検出装置１ごとに変動し得るものである。言い換えれば、検出装置１とフローセルデバイス１６との組合せごとの固有のしきい値が存在する。したがって、検出装置識別情報とセル識別情報の各組合せと関連付けられたしきい値を保持するしきい値保持部１６が、検出装置１側又はフローセルデバイス１６側のいずれかに設けられていることが望ましい。
【００４５】
次に、しきい値の設定手順の一例について、図１とともに図５のフローチャートを用いて説明する。
【００４６】
しきい値の設定は、例えばその検出装置１にそのフローセルデバイス１６を初めて接したときなどに自動的に又はユーザからの指令に基づいて行なわれる。しきい値の設定は、光源６の発光強度が安定し、かつフローセル１８をブランク状態にして行なう（ステップＳ１）。ブランク状態とは、何ら液が流れていない状態又は試料成分の含んでいないブランク液が流れている状態をいう。その状態で、しきい値設定部２８は、光検出素子２０及び２２の出力信号を読み取り、測定光と参照光の光量を測定する（ステップＳ２）。その測定値が測定光と参照光の初期値となる。
【００４７】
しきい値設定部２８は、測定した測定光と参照光の初期値の比率（例えば、参照光／測定光）を計算する（ステップＳ３）。そして、計算により求めた測定光と参照光の比率に一定の許容範囲を加味した値をしきい値として設定する（ステップＳ４）。しきい値設定部２８によって設定されたしきい値は、しきい値保持部３０に保持（記憶）され、測定光と参照光の初期値は初期値保持部３２に保持（記憶）される。しきい値は、求められるＳ／Ｎによっても変わるものであるが、測定光と参照光の比率を一定の値（例えば０．５）と決めておいてもよい。
【００４８】
上記の手順により設定されたしきい値を用いた、フローセル１８の汚れの有無の判定手順の一例について、図１とともに図６のフローチャートを用いて説明する。
【００４９】
フローセル１８の汚れの有無の判定は、例えば検出装置１の立上げ時のバリデーションの際に実行される。汚れ判定が開始されると、汚れ判定部２６はしきい値保持部３０からそのフローセルデバイス１６の固有のしきい値を読み出す（ステップＳ１１）。フローセル１８をブランク状態にし（ステップＳ１２）、光源６の発光強度が安定した状態での測定光と参照光の光量を測定する（ステップＳ１３）。
【００５０】
汚れ判定部２６は、測定した測定光と参照光の光量の比率（例えば、参照光／測定光）を計算により求め（ステップＳ１４）、その比率をしきい値保持部３０から読み出したしきい値と比較する（ステップＳ１５）。計算により求めた比率がしきい値以上である場合は、フローセル１８に汚れが発生していると判定し（ステップＳ１６）、その旨を表示部３４に表示したり、所定のランプを点灯させたり、警告音を発したりするなどして、ユーザにフローセル１８の洗浄を促す（ステップＳ１７）。他方、計算により求めた比率がしきい値よりも小さい場合は、フローセル１８に汚れが発生していないと判定する（ステップＳ１８）。
【符号の説明】
【００５１】
１      検出装置
２      測定部
４      演算処理部
６      光源
８      スリット
１０      ミラー
１２      分光器
１４      ビームスプリッタ
１６      フローセルデバイス
１８      フローセル
２０，２２      光検出素子（光量検出部）
２４      記憶媒体
２６      汚れ判定部
２８      しきい値設定部
３０      しきい値保持部
３２      初期値保持部
【図１】
2019015513.tif 000003
【図２】
2019015513.tif 000004
【図３】
2019015513.tif 000005
【図４】
2019015513.tif 000006
【図５】
2019015513.tif 000007
【図６】
2019015513.tif 000008